(57)【要約】【課題】マルチチャネル制御において新たに増設される子機の登録を容易に行うことのできる電話装置を提供する。【解決手段】公衆電話回線２８を通じて相手先と通信可能な親機１と、この親機１に接続可能な子機２とを備え、親機１は、新たに増設する子機２を登録するとき、子機２を登録する旨の登録コマンドを新たな登録される子機２に対して送信し、その後、子機２からの応答コマンドがない場合、子機２と共有して用いられるチャネルを切り替えて登録コマンドを再度送信する。【選択図】　図４
2004120208.tif 000002
【特許請求の範囲】
【請求項１】
回線を通じて相手先と通信可能な親機と、この親機に接続可能な子機とを備える電話装置であって、
前記親機は、
新たに増設する子機を登録するとき、予め設定された複数のチャネルのうちいずれかのチャネルを用いて子機を登録する旨の登録コマンドを前記新たに登録される子機に対して送信し、その後、前記子機からの応答コマンドがない場合、前記チャネルを切り替えて前記登録コマンドを再度送信する第１送信手段を有することを特徴とする電話装置。
【請求項２】
前記第１送信手段は、
前記子機からの応答コマンドがない場合、上記チャネルの切り替えを所定回数繰り返して前記登録コマンドを送信する、請求項１に記載の電話装置。
【請求項３】
前記新たに登録される子機は、
前記親機からのキャリアの有無を検出し前記キャリアがあり、かつ前記親機からの登録コマンドを受信した場合、登録に関する情報を表示する第１表示手段を有する、請求項１または２に記載の電話装置。
【請求項４】
前記新たに登録される子機は、
前記親機からのキャリアの有無を検出し前記キャリアがない場合、前記チャネルを切り替える切替手段をさらに有する、請求項３に記載の電話装置。
【請求項５】
前記新たに登録される子機は、
前記第１表示手段によって前記情報が表示された後、登録に関する操作入力がされた場合、前記親機に対して応答コマンドを送信する第２送信手段をさらに有する、請求項３または４に記載の電話装置。
【請求項６】
前記親機は、
前記子機からの応答コマンドを受信した際、前記子機に対して確認コマンドを送るとともに、新たに子機が登録された旨を記憶手段に記憶する制御手段をさらに有する、請求項５に記載の電話装置。
【請求項７】
前記親機は、
前記制御手段によって前記子機に対して確認コマンドを送信した後、新たに子機が登録された旨を表示する第２表示手段をさらに有する、請求項６に記載の電話装置。
【発明の詳細な説明】
【０００１】
【発明の属する技術分野】
本発明は、親機と、それに接続可能な子機とを備える電話装置に関し、特に新たな子機を増設するときの制御に関する。
【０００２】
【従来の技術】
従来より、公衆電話回線に接続された、いわゆるコードレス電話機には、携帯可能な子機が付属されている。このような電話機においては、新たに子機が増設される場合、親機および増設される子機に対して所定の入力操作を行うことによって、増設される子機を登録することができる（たとえば、特許文献１参照）。
【０００３】
【特許文献１】
特開平１−２１８２２３号公報
【０００４】
増設される子機を登録する場合、たとえば親機および増設される子機では、ともに増設操作モードといった特殊操作モードに切り替えられる。特殊操作モードに切り替えられると、親機は、子機に対して子機の登録を行うための登録コマンドを送信する。この登録コマンドは、制御チャネルによって送信されるが、親機と子機とでは、２つある制御チャネルのうち、互いに共通する、一方の制御チャネルによって接続を行う。このように、使用可能な制御チャネルを２つ有する通信制御方法をマルチチャネル制御と呼ぶ。このマルチチャネル制御の場合、親機と増設される子機とにおいて、同じチャネルを設定しておく必要がある。その後、子機は、登録コマンドを受信すると、その応答として応答コマンドを返送する。親機は、この応答コマンドが返送されるまで、登録コマンドをたとえば４秒間連続して送信する。
【０００５】
【発明が解決しようとする課題】
ところが、親機と増設される子機とで制御チャネルが一致していない場合、子機では、登録コマンドを受信することができず、一方、親機では、子機からの応答コマンドが４秒間経過しても返信されないので、互いの接続が不可となり、登録ミスを生じることがあった。登録ミスが生じた場合、ユーザは、制御チャネルが一致していないと判断し、たとえば親機側において手動で制御チャネルを変更するのであるが、この判断に余計な時間を費すことがあった。あるいは、制御チャネルの手動による変更操作自体が手間であるといった問題点があった。
【０００６】
本発明は、上記の点に鑑みて提案されたものであって、マルチチャネル制御において新たに増設される子機の登録を容易に行うことのできる電話装置を提供することを目的とする。
【０００７】
【課題を解決するための手段】
上記目的を達成するために、請求項１に記載した発明の電話装置は、回線を通じて相手先と通信可能な親機と、この親機に接続可能な子機とを備える電話装置であって、前記親機は、新たに増設する子機を登録するとき、予め設定された複数のチャネルのうちいずれかのチャネルを用いて子機を登録する旨の登録コマンドを前記新たに登録される子機に対して送信し、その後、前記子機からの応答コマンドがない場合、前記チャネルを切り替えて前記登録コマンドを再度送信する第１送信手段を有することを特徴としている。
【０００８】
このような電話装置によれば、新たに増設される子機を登録する際、親機から増設される子機に対して子機を登録するための登録コマンドが送られ、子機からその登録コマンドに対する応答コマンドがない場合、親機は、子機に設定されているチャネル（たとえば制御チャネル）が親機に設定されている制御チャネルと異なっていると認識し、その制御チャネルを切り替えて再度登録コマンドを送信する。親機と子機とを接続するときには制御チャネルを一致させる必要があるが、上記のように、親機は、子機からの応答コマンドがない場合、制御チャネルが異なっていることを判別して制御チャネルの切り替えを自動で行い得る。そのため、ユーザは、制御チャネルがいずれに設定されているかといったことを意識する必要がなく、つまり従来のように手動で制御チャネルを切り換える必要がなく、利便性の高い電話装置とすることができる。
【０００９】
また、請求項２に記載した発明の電話装置は、請求項１に記載の電話装置であって、前記第１送信手段は、前記子機からの応答コマンドがない場合、上記チャネルの切り替えを所定回数繰り返して前記登録コマンドを送信する。
【００１０】
このような電話装置によれば、請求項１に記載の電話装置による効果に加え、制御チャネルの切り替えをより確実に行うことができる。
【００１１】
また、請求項３に記載した発明の電話装置は、請求項１または２に記載の電話装置であって、前記新たに登録される子機は、前記親機からのキャリアの有無を検出し前記キャリアがあり、かつ前記親機からの登録コマンドを受信した場合、登録に関する情報を表示する第１表示手段を有する。
【００１２】
このような電話装置によれば、請求項１または２に記載の電話装置による効果に加え、増設される子機においては、親機からのキャリアの有無を検出しこのキャリアがあり、かつ親機からの登録コマンドを受信した場合、登録に関する情報（たとえば所定の操作入力を促す指示）を表示するので、登録を行っているユーザは、適切なタイミングで容易にその旨を認識することができる。
【００１３】
また、請求項４に記載した発明の電話装置は、請求項３に記載の電話装置であって、前記新たに登録される子機は、前記親機からのキャリアの有無を検出し前記キャリアがない場合、前記チャネルを切り替える切替手段をさらに有する。
【００１４】
このような電話装置によれば、請求項３に記載の電話装置による効果に加え、増設される子機では、親機からのキャリアがない場合、制御チャネルが異なっていると認識し、その制御チャネルを切り替えて登録コマンドの受信状態となる。このように、子機は、親機からのキャリアがない場合、制御チャネルが異なっていることを判別して制御チャネルの切り替えを自動で行うことができる。
【００１５】
また、請求項５に記載した発明の電話装置は、請求項３または４に記載の電話装置であって、前記新たに登録される子機は、前記第１表示手段によって前記情報が表示された後、登録に関する操作入力がされた場合、前記親機に対して応答コマンドを送信する第２送信手段をさらに有する。
【００１６】
このような電話装置によれば、請求項３または４に記載の電話装置による効果に加え、子機から返信される応答コマンドによって、親機では、子機において増設登録に関する操作入力がされたことを認識することができる。
【００１７】
また、請求項６に記載した発明の電話装置は、請求項５に記載の電話装置であって、前記親機は、前記子機からの応答コマンドを受信した際、前記子機に対して確認コマンドを送るとともに、新たに子機が登録された旨を記憶手段に記憶する制御手段をさらに有する。
【００１８】
このような電話装置によれば、請求項５に記載の電話装置による効果に加え、親機において子機が増設したことを確実に認識することができる。
【００１９】
また、請求項７に記載した発明の電話装置は、請求項６に記載の電話装置であって、前記親機は、前記制御手段によって前記子機に対して確認コマンドを送信した後、新たに子機が登録された旨を表示する第２表示手段をさらに有する。
【００２０】
このような電話装置によれば、請求項６に記載の電話装置による効果に加え、親機において、ユーザは、増設される子機の登録が完了したことを認識することができる。
【００２１】
【発明の実施の形態】
以下、本発明の好ましい実施の形態について添付図面を参照して説明する。
【００２２】
図１は、本発明に係る電話装置の一例を示す概略ブロック構成図である。この電話装置は、ファクシミリ装置からなる親機１と、この親機１に無線によって通信可能な子機２とを備えて構成されている。
【００２３】
親機１は、図示されていないが、たとえばインクジェット方式の印刷機能、画像読取機能（スキャナ機能）、および画像の通信機能等の各機能を複合的に備えたものである。親機１は、たとえばファクシミリデータを送信するときには、画像読取機能を用いて原稿を読み取り、読み取った原稿データを通信機能によって送り先に送信する。また、通信機能によってファクシミリデータを受信したときには、印刷機能を用いてファクシミリデータの内容を所定の記録用紙に印字する。なお、この親機１は、たとえばパーソナルコンピュータに接続された状態で独立した形で印刷装置やスキャナとして利用することもできる。また、印刷機能と画像読取機能とを連動させることで、コピー機として利用することもできる。
【００２４】
親機１は、ＣＰＵ１０、ＮＣＵ１１、ＲＡＭ１２、モデム１３、ＲＯＭ１４、ＮＶＲＡＭ（不揮発性ＲＡＭ：Ｎｏｎ−Ｖｏｌａｔｉｌｅ　ＲＡＭ）１５、ゲートアレイ１６、コーデック１７およびＤＭＡＣ１８を備え、それらは、バス１９により相互に接続されている。バス１９には、アドレスバス、データバスおよび制御信号線が含まれる。また、この親機１では、ゲートアレイ１６に、読取部２１、印刷部２２、操作部２３、表示部２４、コードレス制御部２５、コンパンダ２６、および無線モジュール２７が接続されて具備されている。ＮＣＵ１１には、公衆電話回線２８が接続されている。コードレス制御部２５には、ＥＥＰＲＯＭ２９およびコンパンダ２６が接続されている。無線モジュール２７は、コンパンダ２６およびコードレス制御部２５に接続されている。また、親機１には、図示しないマイクロフォンやスピーカを内蔵したハンドセットが接続されている。
【００２５】
ＣＰＵ１０は、親機１全体の動作を制御するものである。ＮＣＵ１１は、公衆電話回線２８に接続されることにより網制御を行うものである。ＲＡＭ１２は、ＣＰＵ１０の作業領域等を提供するものである。モデム１３は、音声データやファクシミリデータの変調や復調等を行うものである。ＲＯＭ１４は、ＣＰＵ１０が実行すべきプログラム等を記憶するものである。ＮＶＲＡＭ１５は、データや各種の情報を記憶するものである。
【００２６】
ゲートアレイ１６は、ＣＰＵ１０と各部２１〜２７とのインターフェイスとして機能するものである。コーデック１７は、音声信号やファクシミリデータ等の符号化や復号化を行うものである。ＤＭＡＣ１８は、主にＲＡＭ１２へのデータの書き込みや読み出しを行うものである。
【００２７】
読取部２１は、たとえばイメージセンサ、ＬＥＤ光源、および原稿送りモータ（いずれも図示せず）等を備え、ＣＰＵ１０の制御に応じてファクシミリ原稿等からイメージ画像を読み取るものである。
【００２８】
印刷部２２は、感熱方式またはインクジェット方式等により文字や図形等の画像をモノクロまたはカラーで印刷するものである。
【００２９】
操作部２３は、図２に示すように、ダイヤルキー２３Ａ、ジョグダイヤルキー２３Ｂ、その他の操作キー等を備え、ユーザのキー操作による入力信号をＣＰＵ１０に伝えるものである。
【００３０】
表示部２４は、同じく図２に示すように、たとえば液晶ディスプレイパネル２４Ａを備え、この液晶ディスプレイパネル２４Ａに動作状態や操作ガイダンス等を表示するものである。
【００３１】
無線モジュール２７は、図示しないアンテナを備え、制御チャネルや通話チャネルを用いて各子機２との間で音声信号や各種のデータのやり取りを行う。
【００３２】
コンパンダ２６は、子機２から無線モジュール２７を介して送られる音声信号およびデータ信号を切り分けて、音声信号をＣＰＵ１０側に、データ信号をコードレス制御部２５側に送るものである。また、逆にＣＰＵ１０側からの音声信号やデータ信号を無線モジュール２７に送るものである。
【００３３】
コードレス制御部２５は、子機２との通信に関する制御を行うものであり、ＥＥＰＲＯＭ２９は、コードレス制御部２５によって制御され、たとえば子機２の台数や増設された子機２のＩＤ番号等を記憶するためのものである。
【００３４】
子機２は、たとえば住宅内において親機１が設置された部屋とは異なる部屋等に仮設置される。子機２は、図１に示すように、制御部４１、ＲＯＭ４２、ＲＡＭ４３、およびＥＥＰＲＯＭ４４等が備えられ、これらは互いにバス４５によって接続されている。制御部４１には、無線モジュール４６、コンパンダ４７、操作部４８および表示部４９が接続されている。無線モジュール４６は、コンパンダ４７が接続されている。また、コンパンダ４７には、スピーカ５１およびマイクロフォン５２が接続されている。
【００３５】
制御部４１は、子機２の全体動作を制御するものである。ＲＯＭ４２は、制御部４１が実行すべきプログラム等を記憶するものである。ＲＡＭ４３は、制御部４１の作業領域等を提供するものである。ＥＥＰＲＯＭ４４は、データや各種の情報を記憶するものであり、特に、親機１のＩＤ番号や自己のＩＤ番号を記憶する。
【００３６】
操作部４８は、図３に示すように、ダイヤルキー４８Ａ、セレクトキー４８Ｂ、およびその他の操作キー等を備え、ユーザの操作に応じた入力信号を制御部４１に伝えるものである。
【００３７】
表示部４９は、同じく図３に示すように、たとえば液晶ディスプレイパネル４９Ａを備え、この液晶ディスプレイパネル４９Ａに動作状態や操作ガイダンス等を表示するものである。
【００３８】
無線モジュール４６は、図示しないアンテナを備え、制御チャネルや通話チャネルを用いて親機１や他の子機２との間で音声信号や各種のデータのやり取りを行う。
【００３９】
コンパンダ４７は、親機１から無線モジュール４６を介して送られる音声信号およびデータ信号を切り分けて、音声信号をスピーカ５１に、データ信号を制御部４１に送るものである。また、マイクロフォン５２からの音声信号や制御部４１からのデータ信号を無線モジュール４６を介して親機１に送るものである。
【００４０】
スピーカ５１およびマイクロフォン５２は、これらによって、親機１や他の子機２との間で通話が可能なようにされるものである。
【００４１】
次に、この構成における上記電話装置の制御動作を、図４および図５に示すフローチャートを参照して説明する。なお、この電話装置では、親機１および増設される子機２がそれぞれ、通常の動作モードとは異なる、子機増設操作モードに切り替えられて、新たに増設される子機２の登録が行われる。
【００４２】
まず、親機１のコードレス制御部２５は、図４に示すように、子機増設操作モードに設定すべく操作がされたか否かを判別する（Ｓ１）。ユーザによって、操作部２３から子機増設操作モードに設定すべく操作がされた場合（Ｓ１：ＹＥＳ）、番号入力の設定操作がされたか否かを判別する（Ｓ２）。ここで、番号入力における番号とは、新たに登録される子機２の一桁のＩＤ番号をいう。番号入力の設定操作がされた場合（Ｓ２：ＹＥＳ）、コードレス制御部２５は、子機２に対して子機を登録するための登録コマンドを無線モジュール２７を介して送信する（Ｓ３）。
【００４３】
次いで、コードレス制御部２５は、登録コマンドに対する、子機２からの応答コマンドが受信されたか否かを判別する（Ｓ４）。応答コマンドが受信されない場合（Ｓ４：ＮＯ）、所定時間（たとえば４秒）経過したか否かが判別され（Ｓ５）、所定時間経過していない場合（Ｓ５：ＮＯ）、ステップＳ３の登録コマンドを送信する処理に戻る。すなわち、親機１では、登録コマンドを送信してその応答コマンドが受信されない場合、所定時間経過するまで登録コマンドを送信し続ける。
【００４４】
ステップＳ５において、所定時間経過した場合（Ｓ５：ＹＥＳ）、ステップＳ３〜Ｓ５に至る一連の動作（登録コマンドの送信後、応答コマンドを受信せずに所定時間経過するまでの動作）の繰り返し回数が所定回数（たとえば２、３回）未満であるか否かが判別される（Ｓ６）。繰り返し回数が所定回数（たとえば２、３回）未満である場合（Ｓ６：ＹＥＳ）、親機１側で設定されている制御チャネルを切り替える（Ｓ７）。
【００４５】
すなわち、コードレス制御部２５では、制御チャネル（たとえば「４６」チャネル）を登録コマンドに含めて送信している場合、子機２から応答コマンドの返答が所定時間ないとき、制御チャネルをたとえば「８９」チャネルに変更する。そして、再度、登録コマンドにそれを含めて子機２に対して送信する（Ｓ４）。
【００４６】
また、ステップＳ６において、繰り返し回数が所定回数を超えた場合（Ｓ６：ＮＯ）、子機２との間で何らかの通信に関する異常があったとみなして処理を終了する。
【００４７】
このように、新たに増設される子機２が登録される際、親機１から子機２に対してそれを登録するための登録コマンドが送られ、子機２からその登録コマンドに対する応答コマンドがない場合、親機１は、子機２に設定されている制御チャネルが親機１に設定されている制御チャネルと異なっていると認識し、その制御チャネルを切り替えて再度登録コマンドを送信する。親機１と子機２とを接続するときには制御チャネルを一致させる必要があるが、親機１は、子機２からの応答コマンドがない場合、制御チャネルが異なっていることを判別して制御チャネルの切り替えを自動で行い得る。そのため、ユーザは、制御チャネルがいずれに設定されているかといったことを意識する必要がなく、つまり従来のように手動で制御チャネルを切り換える必要がなく、利便性の高い電話装置とすることができる。
【００４８】
ステップＳ４において、コードレス制御部２５は、子機２から応答コマンドを受信したとき（Ｓ４：ＹＥＳ）、その応答コマンドの確認として確認コマンドを子機２に対して送信する（Ｓ８）。そして、増設完了処理として、ＥＥＰＲＯＭ２９に、その時点で認識している子機２の台数や新たに登録した子機２のＩＤ番号等を記憶させる（Ｓ９）。その後、表示部２４の液晶ディスプレイパネル２４Ａに増設完了した旨を表示する（Ｓ１０）。これにより、ユーザは、新たな子機２の増設登録が完了したことを認識することができる。
【００４９】
次に、子機２における制御動作について、図５に示すフローチャートを参照して説明する。
【００５０】
まず、子機２の制御部４１は、子機増設操作モードに設定すべく操作がされたか否かを判別する（Ｔ１）。ユーザによって、子機増設操作モードに設定すべく操作がされた場合（Ｔ１：ＹＥＳ）、親機１からのキャリアがあるか否かを検出し（Ｔ２）、親機１からのキャリアがある場合（Ｔ２：ＹＥＳ）、制御部４１は、親機１からの登録コマンドが受信されたか否かを判別する（Ｔ４）。
【００５１】
また、親機１からのキャリアがない場合（Ｔ２：ＮＯ）、制御チャネルを切り換える（Ｔ３）。すなわち、子機２では、制御チャネルをたとえば「４６」チャネルに設定している場合、何らかの原因で親機１からのキャリアが届かないとき、制御チャネルをたとえば「８９」チャネルに変更する。
【００５２】
すなわち、親機１と子機２とを接続するときには制御チャネルを一致させる必要があるが、親機１からのキャリアがない場合、子機２では、制御チャネルが異なっていると認識し、その制御チャネルを切り替えて登録コマンドの受信状態となる。このように、子機２においても、親機１からのキャリアがない場合、制御チャネルが異なっていることを判別して制御チャネルの切り替えを自動で行うことができる。
【００５３】
制御部４１は、ステップＴ４において、登録コマンドが受信されないと判別した場合（Ｔ４：ＮＯ）、所定時間（たとえば２０秒）経過したか否かを判別し（Ｔ５）、所定時間経過していない場合（Ｔ５：ＮＯ）、ステップＴ２のキャリアを検出する処理に戻る。
【００５４】
ステップＴ４において、親機１からの登録コマンドを受信したとき（Ｔ４：ＹＥＳ）、図６に示すように、表示部４９の液晶ディスプレイパネル４９Ａに番号入力の設定入力を促す旨を表示する（Ｔ６）。これにより、登録を行っているユーザは、子機２において、設定入力すべきタイミングおよび設定入力すべき旨を容易に認識することができる。
【００５５】
次いで、制御部４１は、番号入力の設定がされたか否かを判別する（Ｔ７）。番号入力の設定がされない場合（Ｔ７：ＮＯ）、登録コマンドが受信中であるか否かを判別する（Ｔ８）。登録コマンドが受信中である場合（Ｔ８：ＹＥＳ）、ステップＴ６に戻り、番号入力の設定入力を促す旨の表示を継続する。登録コマンドが受信中でない場合（Ｔ８：ＮＯ）、その表示を消す（Ｔ９）。
【００５６】
ステップＴ７において、番号入力の設定がされた場合（Ｔ７：ＹＥＳ）、番号入力の設定入力を促す旨の表示を消灯する（Ｔ１０）。そして、制御部４１は、親機１に対して応答コマンドを送信し（Ｔ１１）、その後、親機１からの確認コマンドが受信したか否かを判別する（Ｔ１２）。確認コマンドが受信されない場合（Ｔ１２：ＮＯ）、所定時間（たとえば４秒）経過したか否かが判別され（Ｔ１３）、所定時間経過していない場合（Ｔ１３：ＮＯ）、ステップＴ１１の応答コマンドを送信する処理に戻る。
【００５７】
確認コマンドが受信された場合（Ｔ１２：ＹＥＳ）、増設完了処理（Ｔ１４）として、表示部４９の液晶ディスプレイパネル４９Ａに増設完了した旨を表示したり、鳴動音を出力したりする。これにより、ユーザは、子機２の増設登録が完了したことを認識することができる。
【００５８】
なお、本願発明は、上記実施形態に限定されるものではない。たとえば、親機１および子機２の内部構成は、図１に示した構成に限らない。また、子機２の表示部４９に、表示されるメッセージの内容は、図６に示したものに限定されるものではない。また、上記実施形態では、電話装置は、公衆電話回線２８に接続されて適用されたが、これに代えて、ＩＰ電話等によるインターネット網が適用されてもよい。
【００５９】
【発明の効果】
以上説明したように、請求項１に記載した発明の電話装置によれば、新たに増設される子機を登録する際、親機から子機に対して増設子機を登録するための登録コマンドが送られ、子機からその登録コマンドに対する応答コマンドがない場合、親機は、子機に設定されているチャネル（たとえば制御チャネル）が親機に設定されている制御チャネルと異なっていると認識し、その制御チャネルを切り替えて再度登録コマンドを送信する。親機と子機とを接続するときには制御チャネルを一致させる必要があるが、上記のように、親機は、子機からの応答コマンドがない場合、制御チャネルが異なっていることを判別して制御チャネルの切り替えを自動で行い得る。そのため、ユーザは、制御チャネルがいずれに設定されているかといったことを意識する必要がなく、つまり従来のように手動で制御チャネルを切り換える必要がなく、利便性の高い電話装置とすることができる。
【００６０】
また、請求項２に記載した発明の電話装置によれば、請求項１に記載の電話装置による効果に加え、制御チャネルの切り替えをより確実に行うことができる。
【００６１】
また、請求項３に記載した発明の電話装置によれば、請求項１または２に記載の電話装置による効果に加え、増設される子機においては、親機からのキャリアの有無を検出しこのキャリアがあり、かつ親機からの登録コマンドを受信した場合、登録に関する情報（たとえば所定の操作入力を促す指示）を表示するので、登録を行っているユーザは、適切なタイミングで容易にその旨を認識することができる。
【００６２】
さらに、請求項４に記載した発明の電話装置によれば、請求項３に記載の電話装置による効果に加え、増設される子機では、親機からのキャリアがない場合、制御チャネルが異なっていると認識し、その制御チャネルを切り替えて登録コマンドの受信状態となる。このように、子機は、親機からのキャリアがない場合、制御チャネルが異なっていることを判別して制御チャネルの切り替えを自動で行うことができる。
【００６３】
さらに、請求項５に記載した発明の電話装置によれば、請求項３または４に記載の電話装置による効果に加え、子機から返信される応答コマンドによって、親機では、子機において増設登録に関する操作入力がされたことを認識することができる。
【００６４】
さらに、請求項６に記載した発明の電話装置によれば、請求項５に記載の電話装置による効果に加え、親機において子機が増設したことを確実に認識することができる。
【００６５】
さらに、請求項７に記載した発明の電話装置によれば、請求項６に記載の電話装置による効果に加え、親機において、ユーザは、増設される子機の登録が完了したことを認識することができる。
【図面の簡単な説明】
【図１】本発明に係る電話装置の概略ブロック構成図である。
【図２】親機のパネル面を示す図である。
【図３】子機の外観図である。
【図４】親機の制御動作を示すフローチャートである。
【図５】子機の制御動作を示すフローチャートである。
【図６】子機の表示部における表示画面の一例を示す図である。
【符号の説明】
１　　ファクシミリ装置（親機）
２　　子機
２５　　コードレス制御部
２８　　公衆電話回線
４１　　制御部
４９　　表示部（子機の）
４９Ａ　液晶ディスプレイパネル（子機の）
【図１】
2004120208.tif 000003
【図２】
2004120208.tif 000004
【図３】
2004120208.tif 000005
【図４】
2004120208.tif 000006
【図５】
2004120208.tif 000007
【図６】
2004120208.tif 000008
【手続補正書】
【提出日】平成15年3月24日(2003.3.24)
【手続補正１】
【補正対象書類名】明細書
【補正対象項目名】全文
【補正方法】変更
【補正の内容】
【特許請求の範囲】
【請求項１】回線を通じて相手先と通信可能な親機と、この親機に接続可能な子機とを備える電話装置であって、
前記親機は、
新たに増設する子機を登録するとき、予め設定された複数のチャネルのうちいずれかのチャネルを用いて子機を登録する旨の登録コマンドを前記新たに登録される子機に対して送信し、その後、前記子機からの応答コマンドがない場合、前記チャネルを切り替えて前記登録コマンドを再度送信する第１送信手段を有することを特徴とする電話装置。
【請求項２】前記第１送信手段は、
前記子機からの応答コマンドがない場合、前記チャネルの切り替えを所定回数繰り返して前記登録コマンドを送信する、請求項１に記載の電話装置。
【請求項３】前記新たに登録される子機は、
前記親機からのキャリアの有無を検出し前記キャリアがあり、かつ前記親機からの登録コマンドを受信した場合、登録に関する情報を表示する第１表示手段を有する、請求項１または２に記載の電話装置。
【請求項４】前記新たに登録される子機は、
前記親機からのキャリアの有無を検出し前記キャリアがない場合、前記チャネルを切り替える切替手段をさらに有する、請求項３に記載の電話装置。
【請求項５】前記新たに登録される子機は、
前記第１表示手段によって前記情報が表示された後、登録に関する操作入力がされた場合、前記親機に対して応答コマンドを送信する第２送信手段をさらに有する、請求項３または４に記載の電話装置。
【請求項６】前記親機は、
前記子機からの応答コマンドを受信した際、前記子機に対して確認コマンドを送るとともに、新たに子機が登録された旨を記憶手段に記憶する制御手段をさらに有する、請求項５に記載の電話装置。
【請求項７】前記親機は、
前記制御手段によって前記子機に対して確認コマンドを送信した後、新たに子機が登録された旨を表示する第２表示手段をさらに有する、請求項６に記載の電話装置。
【発明の詳細な説明】
【０００１】
【発明の属する技術分野】
本発明は、親機と、それに接続可能な子機とを備える電話装置に関し、特に新たな子機を増設するときの制御に関する。
【０００２】
【従来の技術】
従来より、公衆電話回線に接続された、いわゆるコードレス電話機には、携帯可能な子機が付属されている。このような電話機においては、新たに子機が増設される場合、親機および増設される子機に対して所定の入力操作を行うことによって、増設される子機を登録することができる（たとえば、特許文献１参照）。
【０００３】
【特許文献１】
特開平１−２１８２２３号公報
【０００４】
増設される子機を登録する場合、たとえば親機および増設される子機では、ともに増設操作モードといった特殊操作モードに切り替えられる。特殊操作モードに切り替えられると、親機は、子機に対して子機の登録を行うための登録コマンドを送信する。この登録コマンドは、制御チャネルによって送信されるが、親機と子機とでは、２つある制御チャネルのうち、互いに共通する、一方の制御チャネルによって接続を行う。このように、使用可能な制御チャネルを２つ有する通信制御方法をマルチチャネル制御と呼ぶ。このマルチチャネル制御の場合、親機と増設される子機とにおいて、同じチャネルを設定しておく必要がある。その後、子機は、登録コマンドを受信すると、その応答として応答コマンドを返送する。親機は、この応答コマンドが返送されるまで、登録コマンドをたとえば４秒間連続して送信する。
【０００５】
【発明が解決しようとする課題】
ところが、親機と増設される子機とで制御チャネルが一致していない場合、子機では、登録コマンドを受信することができず、一方、親機では、子機からの応答コマンドが４秒間経過しても返信されないので、互いの接続が不可となり、登録ミスを生じることがあった。登録ミスが生じた場合、ユーザは、制御チャネルが一致していないと判断し、たとえば親機側において手動で制御チャネルを変更するのであるが、この判断に余計な時間を費すことがあった。あるいは、制御チャネルの手動による変更操作自体が手間であるといった問題点があった。
【０００６】
本発明は、上記の点に鑑みて提案されたものであって、マルチチャネル制御において新たに増設される子機の登録を容易に行うことのできる電話装置を提供することを目的とする。
【０００７】
【課題を解決するための手段】
上記目的を達成するために、請求項１に記載した発明の電話装置は、回線を通じて相手先と通信可能な親機と、この親機に接続可能な子機とを備える電話装置であって、前記親機は、新たに増設する子機を登録するとき、予め設定された複数のチャネルのうちいずれかのチャネルを用いて子機を登録する旨の登録コマンドを前記新たに登録される子機に対して送信し、その後、前記子機からの応答コマンドがない場合、前記チャネルを切り替えて前記登録コマンドを再度送信する第１送信手段を有することを特徴としている。
【０００８】
このような電話装置によれば、新たに増設される子機を登録する際、親機から増設される子機に対して子機を登録するための登録コマンドが送られ、子機からその登録コマンドに対する応答コマンドがない場合、親機は、子機に設定されているチャネル（たとえば制御チャネル）が親機に設定されている制御チャネルと異なっていると認識し、その制御チャネルを切り替えて再度登録コマンドを送信する。親機と子機とを接続するときには制御チャネルを一致させる必要があるが、上記のように、親機は、子機からの応答コマンドがない場合、制御チャネルが異なっていることを判別して制御チャネルの切り替えを自動で行い得る。そのため、ユーザは、制御チャネルがいずれに設定されているかといったことを意識する必要がなく、つまり従来のように手動で制御チャネルを切り換える必要がなく、利便性の高い電話装置とすることができる。
【０００９】
また、請求項２に記載した発明の電話装置は、請求項１に記載の電話装置であって、前記第１送信手段は、前記子機からの応答コマンドがない場合、前記チャネルの切り替えを所定回数繰り返して前記登録コマンドを送信する。
【００１０】
このような電話装置によれば、請求項１に記載の電話装置による効果に加え、制御チャネルの切り替えをより確実に行うことができる。
【００１１】
また、請求項３に記載した発明の電話装置は、請求項１または２に記載の電話装置であって、前記新たに登録される子機は、前記親機からのキャリアの有無を検出し前記キャリアがあり、かつ前記親機からの登録コマンドを受信した場合、登録に関する情報を表示する第１表示手段を有する。
【００１２】
このような電話装置によれば、請求項１または２に記載の電話装置による効果に加え、増設される子機においては、親機からのキャリアの有無を検出しこのキャリアがあり、かつ親機からの登録コマンドを受信した場合、登録に関する情報（たとえば所定の操作入力を促す指示）を表示するので、登録を行っているユーザは、適切なタイミングで容易にその旨を認識することができる。
【００１３】
また、請求項４に記載した発明の電話装置は、請求項３に記載の電話装置であって、前記新たに登録される子機は、前記親機からのキャリアの有無を検出し前記キャリアがない場合、前記チャネルを切り替える切替手段をさらに有する。
【００１４】
このような電話装置によれば、請求項３に記載の電話装置による効果に加え、増設される子機では、親機からのキャリアがない場合、制御チャネルが異なっていると認識し、その制御チャネルを切り替えて登録コマンドの受信状態となる。このように、子機は、親機からのキャリアがない場合、制御チャネルが異なっていることを判別して制御チャネルの切り替えを自動で行うことができる。
【００１５】
また、請求項５に記載した発明の電話装置は、請求項３または４に記載の電話装置であって、前記新たに登録される子機は、前記第１表示手段によって前記情報が表示された後、登録に関する操作入力がされた場合、前記親機に対して応答コマンドを送信する第２送信手段をさらに有する。
【００１６】
このような電話装置によれば、請求項３または４に記載の電話装置による効果に加え、子機から返信される応答コマンドによって、親機では、子機において増設登録に関する操作入力がされたことを認識することができる。
【００１７】
また、請求項６に記載した発明の電話装置は、請求項５に記載の電話装置であって、前記親機は、前記子機からの応答コマンドを受信した際、前記子機に対して確認コマンドを送るとともに、新たに子機が登録された旨を記憶手段に記憶する制御手段をさらに有する。
【００１８】
このような電話装置によれば、請求項５に記載の電話装置による効果に加え、親機において子機が増設したことを確実に認識することができる。
【００１９】
また、請求項７に記載した発明の電話装置は、請求項６に記載の電話装置であって、前記親機は、前記制御手段によって前記子機に対して確認コマンドを送信した後、新たに子機が登録された旨を表示する第２表示手段をさらに有する。
【００２０】
このような電話装置によれば、請求項６に記載の電話装置による効果に加え、親機において、ユーザは、増設される子機の登録が完了したことを認識することができる。
【００２１】
【発明の実施の形態】
以下、本発明の好ましい実施の形態について添付図面を参照して説明する。
【００２２】
図１は、本発明に係る電話装置の一例を示す概略ブロック構成図である。この電話装置は、ファクシミリ装置からなる親機１と、この親機１に無線によって通信可能な子機２とを備えて構成されている。
【００２３】
親機１は、図示されていないが、たとえばインクジェット方式の印刷機能、画像読取機能（スキャナ機能）、および画像の通信機能等の各機能を複合的に備えたものである。親機１は、たとえばファクシミリデータを送信するときには、画像読取機能を用いて原稿を読み取り、読み取った原稿データを通信機能によって送り先に送信する。また、通信機能によってファクシミリデータを受信したときには、印刷機能を用いてファクシミリデータの内容を所定の記録用紙に印字する。なお、この親機１は、たとえばパーソナルコンピュータに接続された状態で独立した形で印刷装置やスキャナとして利用することもできる。また、印刷機能と画像読取機能とを連動させることで、コピー機として利用することもできる。
【００２４】
親機１は、ＣＰＵ１０、ＮＣＵ１１、ＲＡＭ１２、モデム１３、ＲＯＭ１４、ＮＶＲＡＭ（不揮発性ＲＡＭ：Ｎｏｎ−Ｖｏｌａｔｉｌｅ　ＲＡＭ）１５、ゲートアレイ１６、コーデック１７およびＤＭＡＣ１８を備え、それらは、バス１９により相互に接続されている。バス１９には、アドレスバス、データバスおよび制御信号線が含まれる。また、この親機１では、ゲートアレイ１６に、読取部２１、印刷部２２、操作部２３、表示部２４、コードレス制御部２５、コンパンダ２６、および無線モジュール２７が接続されて具備されている。ＮＣＵ１１には、公衆電話回線２８が接続されている。コードレス制御部２５には、ＥＥＰＲＯＭ２９およびコンパンダ２６が接続されている。無線モジュール２７は、コンパンダ２６およびコードレス制御部２５に接続されている。また、親機１には、図示しないマイクロフォンやスピーカを内蔵したハンドセットが接続されている。
【００２５】
ＣＰＵ１０は、親機１全体の動作を制御するものである。ＮＣＵ１１は、公衆電話回線２８に接続されることにより網制御を行うものである。ＲＡＭ１２は、ＣＰＵ１０の作業領域等を提供するものである。モデム１３は、音声データやファクシミリデータの変調や復調等を行うものである。ＲＯＭ１４は、ＣＰＵ１０が実行すべきプログラム等を記憶するものである。ＮＶＲＡＭ１５は、データや各種の情報を記憶するものである。
【００２６】
ゲートアレイ１６は、ＣＰＵ１０と各部２１〜２７とのインターフェイスとして機能するものである。コーデック１７は、音声信号やファクシミリデータ等の符号化や復号化を行うものである。ＤＭＡＣ１８は、主にＲＡＭ１２へのデータの書き込みや読み出しを行うものである。
【００２７】
読取部２１は、たとえばイメージセンサ、ＬＥＤ光源、および原稿送りモータ（いずれも図示せず）等を備え、ＣＰＵ１０の制御に応じてファクシミリ原稿等からイメージ画像を読み取るものである。
【００２８】
印刷部２２は、感熱方式またはインクジェット方式等により文字や図形等の画像をモノクロまたはカラーで印刷するものである。
【００２９】
操作部２３は、図２に示すように、ダイヤルキー２３Ａ、ジョグダイヤルキー２３Ｂ、その他の操作キー等を備え、ユーザのキー操作による入力信号をＣＰＵ１０に伝えるものである。
【００３０】
表示部２４は、同じく図２に示すように、たとえば液晶ディスプレイパネル２４Ａを備え、この液晶ディスプレイパネル２４Ａに動作状態や操作ガイダンス等を表示するものである。
【００３１】
無線モジュール２７は、図示しないアンテナを備え、制御チャネルや通話チャネルを用いて各子機２との間で音声信号や各種のデータのやり取りを行う。
【００３２】
コンパンダ２６は、子機２から無線モジュール２７を介して送られる音声信号およびデータ信号を切り分けて、音声信号をＣＰＵ１０側に、データ信号をコードレス制御部２５側に送るものである。また、逆にＣＰＵ１０側からの音声信号やデータ信号を無線モジュール２７に送るものである。
【００３３】
コードレス制御部２５は、子機２との通信に関する制御を行うものであり、ＥＥＰＲＯＭ２９は、コードレス制御部２５によって制御され、たとえば子機２の台数や増設された子機２のＩＤ番号等を記憶するためのものである。
【００３４】
子機２は、たとえば住宅内において親機１が設置された部屋とは異なる部屋等に仮設置される。子機２は、図１に示すように、制御部４１、ＲＯＭ４２、ＲＡＭ４３、およびＥＥＰＲＯＭ４４等が備えられ、これらは互いにバス４５によって接続されている。制御部４１には、無線モジュール４６、コンパンダ４７、操作部４８および表示部４９が接続されている。無線モジュール４６は、コンパンダ４７が接続されている。また、コンパンダ４７には、スピーカ５１およびマイクロフォン５２が接続されている。
【００３５】
制御部４１は、子機２の全体動作を制御するものである。ＲＯＭ４２は、制御部４１が実行すべきプログラム等を記憶するものである。ＲＡＭ４３は、制御部４１の作業領域等を提供するものである。ＥＥＰＲＯＭ４４は、データや各種の情報を記憶するものであり、特に、親機１のＩＤ番号や自己のＩＤ番号を記憶する。
【００３６】
操作部４８は、図３に示すように、ダイヤルキー４８Ａ、セレクトキー４８Ｂ、およびその他の操作キー等を備え、ユーザの操作に応じた入力信号を制御部４１に伝えるものである。
【００３７】
表示部４９は、同じく図３に示すように、たとえば液晶ディスプレイパネル４９Ａを備え、この液晶ディスプレイパネル４９Ａに動作状態や操作ガイダンス等を表示するものである。
【００３８】
無線モジュール４６は、図示しないアンテナを備え、制御チャネルや通話チャネルを用いて親機１や他の子機２との間で音声信号や各種のデータのやり取りを行う。
【００３９】
コンパンダ４７は、親機１から無線モジュール４６を介して送られる音声信号およびデータ信号を切り分けて、音声信号をスピーカ５１に、データ信号を制御部４１に送るものである。また、マイクロフォン５２からの音声信号や制御部４１からのデータ信号を無線モジュール４６を介して親機１に送るものである。
【００４０】
スピーカ５１およびマイクロフォン５２は、これらによって、親機１や他の子機２との間で通話が可能なようにされるものである。
【００４１】
次に、この構成における上記電話装置の制御動作を、図４および図５に示すフローチャートを参照して説明する。なお、この電話装置では、親機１および増設される子機２がそれぞれ、通常の動作モードとは異なる、子機増設操作モードに切り替えられて、新たに増設される子機２の登録が行われる。
【００４２】
まず、親機１のコードレス制御部２５は、図４に示すように、子機増設操作モードに設定すべく操作がされたか否かを判別する（Ｓ１）。ユーザによって、操作部２３から子機増設操作モードに設定すべく操作がされた場合（Ｓ１：ＹＥＳ）、番号入力の設定操作がされたか否かを判別する（Ｓ２）。ここで、番号入力における番号とは、新たに登録される子機２の一桁のＩＤ番号をいう。番号入力の設定操作がされた場合（Ｓ２：ＹＥＳ）、コードレス制御部２５は、子機２に対して子機を登録するための登録コマンドを無線モジュール２７を介して送信する（Ｓ３）。
【００４３】
次いで、コードレス制御部２５は、登録コマンドに対する、子機２からの応答コマンドが受信されたか否かを判別する（Ｓ４）。応答コマンドが受信されない場合（Ｓ４：ＮＯ）、所定時間（たとえば４秒）経過したか否かが判別され（Ｓ５）、所定時間経過していない場合（Ｓ５：ＮＯ）、ステップＳ３の登録コマンドを送信する処理に戻る。すなわち、親機１では、登録コマンドを送信してその応答コマンドが受信されない場合、所定時間経過するまで登録コマンドを送信し続ける。
【００４４】
ステップＳ５において、所定時間経過した場合（Ｓ５：ＹＥＳ）、ステップＳ３〜Ｓ５に至る一連の動作（登録コマンドの送信後、応答コマンドを受信せずに所定時間経過するまでの動作）の繰り返し回数が所定回数（たとえば２、３回）未満であるか否かが判別される（Ｓ６）。繰り返し回数が所定回数（たとえば２、３回）未満である場合（Ｓ６：ＹＥＳ）、親機１側で設定されている制御チャネルを切り替える（Ｓ７）。
【００４５】
すなわち、コードレス制御部２５では、制御チャネル（たとえば「４６」チャネル）を登録コマンドに含めて送信している場合、子機２から応答コマンドの返答が所定時間ないとき、制御チャネルをたとえば「８９」チャネルに変更する。そして、再度、登録コマンドにそれを含めて子機２に対して送信する（Ｓ４）。
【００４６】
また、ステップＳ６において、繰り返し回数が所定回数を超えた場合（Ｓ６：ＮＯ）、子機２との間で何らかの通信に関する異常があったとみなして処理を終了する。
【００４７】
このように、新たに増設される子機２が登録される際、親機１から子機２に対してそれを登録するための登録コマンドが送られ、子機２からその登録コマンドに対する応答コマンドがない場合、親機１は、子機２に設定されている制御チャネルが親機１に設定されている制御チャネルと異なっていると認識し、その制御チャネルを切り替えて再度登録コマンドを送信する。親機１と子機２とを接続するときには制御チャネルを一致させる必要があるが、親機１は、子機２からの応答コマンドがない場合、制御チャネルが異なっていることを判別して制御チャネルの切り替えを自動で行い得る。そのため、ユーザは、制御チャネルがいずれに設定されているかといったことを意識する必要がなく、つまり従来のように手動で制御チャネルを切り換える必要がなく、利便性の高い電話装置とすることができる。
【００４８】
ステップＳ４において、コードレス制御部２５は、子機２から応答コマンドを受信したとき（Ｓ４：ＹＥＳ）、その応答コマンドの確認として確認コマンドを子機２に対して送信する（Ｓ８）。そして、増設完了処理として、ＥＥＰＲＯＭ２９に、その時点で認識している子機２の台数や新たに登録した子機２のＩＤ番号等を記憶させる（Ｓ９）。その後、表示部２４の液晶ディスプレイパネル２４Ａに増設完了した旨を表示する（Ｓ１０）。これにより、ユーザは、新たな子機２の増設登録が完了したことを認識することができる。
【００４９】
次に、子機２における制御動作について、図５に示すフローチャートを参照して説明する。
【００５０】
まず、子機２の制御部４１は、子機増設操作モードに設定すべく操作がされたか否かを判別する（Ｔ１）。ユーザによって、子機増設操作モードに設定すべく操作がされた場合（Ｔ１：ＹＥＳ）、親機１からのキャリアがあるか否かを検出し（Ｔ２）、親機１からのキャリアがある場合（Ｔ２：ＹＥＳ）、制御部４１は、親機１からの登録コマンドが受信されたか否かを判別する（Ｔ４）。
【００５１】
また、親機１からのキャリアがない場合（Ｔ２：ＮＯ）、制御チャネルを切り換える（Ｔ３）。すなわち、子機２では、制御チャネルをたとえば「４６」チャネルに設定している場合、何らかの原因で親機１からのキャリアが届かないとき、制御チャネルをたとえば「８９」チャネルに変更する。
【００５２】
すなわち、親機１と子機２とを接続するときには制御チャネルを一致させる必要があるが、親機１からのキャリアがない場合、子機２では、制御チャネルが異なっていると認識し、その制御チャネルを切り替えて登録コマンドの受信状態となる。このように、子機２においても、親機１からのキャリアがない場合、制御チャネルが異なっていることを判別して制御チャネルの切り替えを自動で行うことができる。
【００５３】
制御部４１は、ステップＴ４において、登録コマンドが受信されないと判別した場合（Ｔ４：ＮＯ）、所定時間（たとえば２０秒）経過したか否かを判別し（Ｔ５）、所定時間経過していない場合（Ｔ５：ＮＯ）、ステップＴ２のキャリアを検出する処理に戻る。
【００５４】
ステップＴ４において、親機１からの登録コマンドを受信したとき（Ｔ４：ＹＥＳ）、図６に示すように、表示部４９の液晶ディスプレイパネル４９Ａに番号入力の設定入力を促す旨を表示する（Ｔ６）。これにより、登録を行っているユーザは、子機２において、設定入力すべきタイミングおよび設定入力すべき旨を容易に認識することができる。
【００５５】
次いで、制御部４１は、番号入力の設定がされたか否かを判別する（Ｔ７）。番号入力の設定がされない場合（Ｔ７：ＮＯ）、登録コマンドが受信中であるか否かを判別する（Ｔ８）。登録コマンドが受信中である場合（Ｔ８：ＹＥＳ）、ステップＴ６に戻り、番号入力の設定入力を促す旨の表示を継続する。登録コマンドが受信中でない場合（Ｔ８：ＮＯ）、その表示を消す（Ｔ９）。
【００５６】
ステップＴ７において、番号入力の設定がされた場合（Ｔ７：ＹＥＳ）、番号入力の設定入力を促す旨の表示を消灯する（Ｔ１０）。そして、制御部４１は、親機１に対して応答コマンドを送信し（Ｔ１１）、その後、親機１からの確認コマンドが受信したか否かを判別する（Ｔ１２）。確認コマンドが受信されない場合（Ｔ１２：ＮＯ）、所定時間（たとえば４秒）経過したか否かが判別され（Ｔ１３）、所定時間経過していない場合（Ｔ１３：ＮＯ）、ステップＴ１１の応答コマンドを送信する処理に戻る。
【００５７】
確認コマンドが受信された場合（Ｔ１２：ＹＥＳ）、増設完了処理（Ｔ１４）として、表示部４９の液晶ディスプレイパネル４９Ａに増設完了した旨を表示したり、鳴動音を出力したりする。これにより、ユーザは、子機２の増設登録が完了したことを認識することができる。
【００５８】
なお、本願発明は、上記実施形態に限定されるものではない。たとえば、親機１および子機２の内部構成は、図１に示した構成に限らない。また、子機２の表示部４９に、表示されるメッセージの内容は、図６に示したものに限定されるものではない。また、上記実施形態では、電話装置は、公衆電話回線２８に接続されて適用されたが、これに代えて、ＩＰ電話等によるインターネット網が適用されてもよい。
【００５９】
【発明の効果】
以上説明したように、請求項１に記載した発明の電話装置によれば、新たに増設される子機を登録する際、親機から子機に対して増設子機を登録するための登録コマンドが送られ、子機からその登録コマンドに対する応答コマンドがない場合、親機は、子機に設定されているチャネル（たとえば制御チャネル）が親機に設定されている制御チャネルと異なっていると認識し、その制御チャネルを切り替えて再度登録コマンドを送信する。親機と子機とを接続するときには制御チャネルを一致させる必要があるが、上記のように、親機は、子機からの応答コマンドがない場合、制御チャネルが異なっていることを判別して制御チャネルの切り替えを自動で行い得る。そのため、ユーザは、制御チャネルがいずれに設定されているかといったことを意識する必要がなく、つまり従来のように手動で制御チャネルを切り換える必要がなく、利便性の高い電話装置とすることができる。
【００６０】
また、請求項２に記載した発明の電話装置によれば、請求項１に記載の電話装置による効果に加え、制御チャネルの切り替えをより確実に行うことができる。
【００６１】
また、請求項３に記載した発明の電話装置によれば、請求項１または２に記載の電話装置による効果に加え、増設される子機においては、親機からのキャリアの有無を検出しこのキャリアがあり、かつ親機からの登録コマンドを受信した場合、登録に関する情報（たとえば所定の操作入力を促す指示）を表示するので、登録を行っているユーザは、適切なタイミングで容易にその旨を認識することができる。
【００６２】
さらに、請求項４に記載した発明の電話装置によれば、請求項３に記載の電話装置による効果に加え、増設される子機では、親機からのキャリアがない場合、制御チャネルが異なっていると認識し、その制御チャネルを切り替えて登録コマンドの受信状態となる。このように、子機は、親機からのキャリアがない場合、制御チャネルが異なっていることを判別して制御チャネルの切り替えを自動で行うことができる。
【００６３】
さらに、請求項５に記載した発明の電話装置によれば、請求項３または４に記載の電話装置による効果に加え、子機から返信される応答コマンドによって、親機では、子機において増設登録に関する操作入力がされたことを認識することができる。
【００６４】
さらに、請求項６に記載した発明の電話装置によれば、請求項５に記載の電話装置による効果に加え、親機において子機が増設したことを確実に認識することができる。
【００６５】
さらに、請求項７に記載した発明の電話装置によれば、請求項６に記載の電話装置による効果に加え、親機において、ユーザは、増設される子機の登録が完了したことを認識することができる。
【図面の簡単な説明】
【図１】本発明に係る電話装置の概略ブロック構成図である。
【図２】親機のパネル面を示す図である。
【図３】子機の外観図である。
【図４】親機の制御動作を示すフローチャートである。
【図５】子機の制御動作を示すフローチャートである。
【図６】子機の表示部における表示画面の一例を示す図である。
【符号の説明】
１　　ファクシミリ装置（親機）
２　　子機
２５　　コードレス制御部
２８　　公衆電話回線
４１　　制御部
４９　　表示部（子機の）
４９Ａ　液晶ディスプレイパネル（子機の）